(57)【特許請求の範囲】
【請求項１】
底板と、この底板に突設された脚部とを有するアルミニウムまたはマグネシウム合金からなる取付金具と、この取付金具の上部に取付けられる蓋状の押さえ金具とを備え、
前記取付金具および押え金具内に、コイルボビンにコイルが巻回され、コアが組込まれてなるトランス本体のコア上面と前記押さえ金具の下面、コアの側面およびコアの下面と前記底板との間にそれぞれスペーサを挟み込んで設け、かつ前記各スペーサの両面に設けた接着剤にて前記取付金具と前記押さえ金具と前記トランス本体とを一体化したことを特徴とする小型トランス。
【請求項２】
請求項１記載のものにおいて、前記取付金具の底面を固着具を用いて取付面に取付けることを特徴とする小型トランス。
【発明の詳細な説明】
【０００１】
【発明の属する技術分野】
この発明は小型トランスに関する。
【０００２】
【従来の技術】
小型トランスとしては種々の用途のものが存在する。このうち人工衛星や観測用ロケット等の航空・宇宙用機器に搭載されるものもある。このようなトランスには、打ち上げや大気圏突入時等に強い振動や衝撃等が加わるなど、厳しい環境下で使用されるため、それなりの対策を講じる必要がある。
【０００３】
従来この種のトランスは、一般的には例えば図５に示すように構成されている。すなわち、図において３０はコイルボビンの上側のフランジ、３１は下側のフランジに相当するピン端子３２が植設された端子部、３３はコイル、３４はこれら組立体に対し互いに対向して組込まれた一対のいわゆるＰＱコアと称されるコア、３５はコア３４の上面および両側面を取り囲むようにして設けられた締付兼取付金具であり、先端には取付用の爪３５ａが形成され、コア３４はこの締付兼取付金具３５によって締付けられて固定され、また、製品の取り付けは爪３５ａを取付部に折り曲げて行われていた。
【０００４】
しかしながら、厳しい条件下での安定した性能が要求される航空・宇宙用機器を考えた場合、その要求される環境条件は衝撃にして１０００Ｇ近いものとなる。また、宇宙環境は真空のため、空気の対流による放熱がない。
【０００５】
【発明が解決しようとする課題】
したがって、図５に示すように、コア３４の周囲を細い帯状の締付兼取付金具３５でもって単に締付固定する構成ではその部分にストレスが加わり、フェライトの焼締品からなるＰＱコアのコア割れや、単に取付金具３５の爪３５ａを折曲して取り付けるだけでは強度が不足するため、取り付け構造の破損が生じるおそれがあり、また、放熱に関しても従来の一般的な構造では環境要求に対し問題がある。
【０００６】
この発明は上記のことに鑑み提案されたもので、その目的とするところは、振動、衝撃等の厳しい環境条件下においてもコア割れや取り付け構造の破損を防止でき、また、放熱性も良好とした小型トランスを提供することにある。
【０００７】
【課題を解決するための手段】
この発明は、底板と、この底板に突設された脚部とを有するアルミニウムまたはマグネシウム合金からなる取付金具と、この取付金具の上部に取付けられる蓋状の押え金具とを備え、前記取付金具および押え金具内に、コイルボビンにコイルが巻回され、コアが組込まれてなるトランス本体のコア上面と前記押さえ金具の下面、コアの側面およびコアの下面と前記底板との間にそれぞれスペーサを挟み込んで設け、かつ前記各スペーサの両面に設けた接着剤にて前記取付金具と前記押さえ金具と前記トランス本体とを一体化した構成とすることにより、上記目的を達成している。
【０００８】
また、前記取付金具の底面を固着具を用いて取付面に取付けることに特徴を有している。
【０００９】
【発明の実施の形態】
この発明は、放熱性が良く、しかも軽量であって堅固な構造の取付用の金具によってコアの上下面および両側面全体を包み込み保護するようにし、かつネジのような固着具による組立・取り付け構造とし、また、シリコン系の接着剤を用いてコアと金具とを固定するようにし、コアの破損防止、放熱性を良好とし、かつ取付面に固着具を用いて取り付けるようにし取付けを強固としている。
【００１０】
【実施例】
図１は本発明の一実施例の分解斜視図を示す。
【００１１】
樹脂製のコイルボビンの上下のフランジ１，２間にコイル３が巻装され、かつ上側のフランジ１のほぼ中央部に形成された切欠き部を介しリード線４が外部に引き出されている。５はフェライトを焼結してなるいわゆるＰＱコアと称される一対のコアで、コイルボビンの上下にそれぞれ対向配置され、組み込まれ、このようにしてリード引出しタイプのトランス本体６が構成されている。
【００１２】
７はアルミニウム合金製の取付金具である。この取付金具７はほぼ平板状をなし、かつ矩形の底板８と、この底板８の短辺側の両側部にそれぞれ形成された側板９とを有し、この側板９の中央部は切欠き部１０が形成され、かつその両端に上方に向って延びる脚部１１が形成されている。
【００１３】
換言すると、底板８の四隅にそれぞれ上方に向って延びる脚部１１が形成され、かつ短辺側の各脚部間の下方部分は連結され、この連結部分が側板９となっている。
【００１４】
各脚部１１の上部にはネジの如き固着具の取付用の穴１２が形成され、かつ内側には底部から上部に向って延びる溝１３がそれぞれ形成されている。
【００１５】
また、底板８の各長辺側には若干上方に向って突出したリブ状の突部１４がそれぞれ形成され、この突部１４は長辺側の両端部にそれぞれ突設された各脚部１１の底部間を連結するように形成されている。
【００１６】
また、底板８の下面の四隅にも、図２に示すように、取付用の穴１５が形成されている。
【００１７】
１６は上記取付金具７の上部にネジ１７の如き固着具を介して取り付けられる蓋状の押え金具で、この押え金具１６は取付金具７と同じ材質からなり、その底板８とほぼ対応した形状をなし、かつ四隅にはネジ挿通用のネジ穴１８がそれぞれ形成されている。また、下面四隅の脚部１１と対応する位置には若干下方に向って突出する脚連結部１９が形成されている。
【００１８】
２０は押え金具１６の下面と上側のコア５の上面との隙間に挟み込まれる矩形平板状のスペーサ、２１は取付金具７の底板８上と下側のコア５の下面との隙間に挟み込まれる矩形平板状のスペーサである。
【００１９】
２２は互いに接合された一対のコア５の各端面と各脚部１１の内面との間にそれぞれ設けられる細長い帯状の形成された平板状のスペーサである。
【００２０】
２３は下側のコア５の側面と取付金具７の側板９との間に設けられるスペーサであり、上記各スペーサ２０〜２３としては両面にシリコン系接着剤を塗布したノーメックスを用いている。
【００２１】
組立てにあたっては、取付金具７の底板８上に下側のスペーサ２１を設け、その上にトランス本体６を載置する。
【００２２】
このトランス本体６のコア５の各端面５ａ、下側のコア５の各側面５ｂにそれぞれスペーサ２２，２３を配置する。
【００２３】
また、上側のコア５の上面にスペーサ２０が配され、押え金具１６がネジ１７を介し取付けられる。なお、この場合、押え金具１６を溶接によって取付金具７に取付けることも可能である。
【００２４】
組立ての際、各スペーサ２０〜２３の両面にシリコン系接着剤が塗布される。また、コア５と取付金具７、押え金具１６は、図３に示すようにシリコン系接着剤２４を用いて一体化して固定することでフェライトの焼結品からなり破損しやすいＰＱ型のコア５の損傷を防止できる。
【００２５】
トランス本体６を取付金具７および押え金具１６で囲み、シリコン系接着剤を用いて固定する構成とした本発明の小型トランス６の一般的に衛星関連で要求される機械的環境条件は次の通りである。
【００２６】
0003665846.tif 000002
【００２７】
この小型トランス６の取り付けは、図４に示すように、シャーシの如き取付面２５へネジ２６の如き固着具によって取付けるようにしたため、堅固に取付けることができる。
【００２８】
また、コア５の熱をアルミニウム合金製の取付金具７の底板８のほぼ矩形状の底面積を介し取付面２５に逃がすことができるため、優れた放熱性を得ることができる。この場合、底板８と取付面２５との間に放熱シートを介在させて取付けても良い。
【００２９】
なお、上記実施例では取付金具７、押え金具１６としてアルミニウム合金製のものを用いたが、その他としてマグネシュウム合金製のものを用いてもよい。
更にコアはＰＱ型以外にも、ＥＥ，ＥＩ型のような対向配置型のコアにも同様に対応することが出来る。
【００３０】
また、本発明は、航空、宇宙機器以外にも、熱的、機械的に厳しい環境条件が要求される機器等に応用することが出来る。
【００３１】
【発明の効果】
以上のように請求項１記載の本発明によれば、トランス本体は取付金具と押え金具との内部にスペーサを介在して設け、また、接着剤を介し固定したため、コア５の耐振動、衝撃性が向上し、その破損を防止し得る利点がある。
【００３２】
また、取付金具の底面を取付面に固着具を用いて取付けるようにしたため、放熱性が良く、かつ取付を強固に行うことができる。
【図面の簡単な説明】
【図１】本発明の一実施例の分解斜視図。
【図２】本発明の一実施例で用いられる取付金具の底面図。
【図３】本発明の一実施例の組立斜視図。
【図４】シャーシへの取付状態を示す説明図。
【図５】従来例を示す。
【符号の説明】
１  フランジ
２  フランジ
３  コイル
４  リード線
５  コア
５ａ  端面
５ｂ  側面
６  トランス本体
７  取付金具
８  底面
９  側面
１０  切欠き部
１１  脚部
１２  穴
１３  溝
１４  突部
１５  ネジ穴
１６  押え金具
１７  ネジ
１８  ネジ用の穴
１９  脚連結部
２０〜２３  スペーサ
２４  シリコン系接着剤
２５  取付面
２６  ネジ
【図１】
0003665846.tif 000003
【図２】
0003665846.tif 000004
【図３】
0003665846.tif 000005
【図４】
0003665846.tif 000006
【図５】
0003665846.tif 000007